(57)【要約】【課題】  コストを抑えながらデザイン性及びメンテナンス性が向上したカバー構成を備えたマッサージ機を提供する。【解決手段】  マッサージ機１は、背もたれ部２と座部３とを備える。背もたれ部２は、内蔵するマッサージ部の施療子を使用者に当接させるための開口２２を備えた背もたれベース２０と、背もたれベース２０の開口２２を覆うように前面に設けられ、開口２２の周縁に着脱自在に取付けられた開口カバー２３と、背もたれベース２０の前面を覆うように着脱自在に取付けられる背もたれカバー２６とを備える。座部３は、座ベース３０と、座ベース３０の左右両側に設けられた一対の肘掛ベース４０と、座ベース３０の上面を覆うように着脱自在に取付けられる座カバー３１と、肘掛ベース４０の両内側面を覆うように着脱自在に取付けられる肘掛カバー４３とを備える。【選択図】      図３
2005334386.tif 000002
【特許請求の範囲】
【請求項１】
使用者にマッサージを行うマッサージ部を内蔵した背もたれ部と座部とを備えた椅子型のマッサージ機において、
前記背もたれ部は、前記マッサージ部の施療子を使用者に当接させるための開口を備えた背もたれベースと、前記背もたれベースの開口を覆うように前面に設けられ、前記開口の周縁に着脱自在に取付けられた開口カバーと、前記背もたれベースの前面を覆うように着脱自在に取付けられる背もたれカバーとを備え、
前記座部は、座ベースと、前記座ベースの左右両側に設けられた一対の肘掛ベースと、前記座ベースの上面を覆うように着脱自在に取付けられる座カバーと、前記肘掛ベースの両内側面を覆うように着脱自在に取付けられる肘掛カバーとを備えたことを特徴とするマッサージ機。
【請求項２】
前記背もたれベースは、装着した前記背もたれカバーによって露出しないように覆われる前面ハウジングと、背面ハウジングとで構成されることを特徴とする請求項１記載のマッサージ機。
【請求項３】
前記背もたれベースは、前記背もたれカバーの着脱状態を検出する検出部を備え、前記背もたれベースに内蔵されたマッサージ部は、前記検出部によって前記背もたれカバーが装着されていることが検出されたときのみ駆動されるようにしたことを特徴とする請求項１記載のマッサージ機。
【請求項４】
前記肘掛ベースは、装着した前記肘掛カバーによって露出しないように覆われる内側ハウジングと、外側ハウジングとで構成されることを特徴とする請求項１記載のマッサージ機。
【請求項５】
前記座ベースの上面と前記肘掛ベースの両内側面とは一体的に形成されていることを特徴とする請求項１記載のマッサージ機。
【請求項６】
前記背もたれカバー、座カバー、肘掛カバーはそれぞれクッション材を内装し、前記各クッション材はそれぞれ前記背もたれベース、座ベース、肘掛ベースの当接面に合わせた形状を保持するように形成されていることを特徴とする請求項１記載のマッサージ機。
【請求項７】
前記各カバーと各ベースとは係合的な着脱手段を備えることを特徴とする請求項１記載のマッサージ機。
【発明の詳細な説明】
【技術分野】
【０００１】
この発明は、マッサージ機に関し、特に椅子型マッサージ機のカバー構成に関する。
【背景技術】
【０００２】
背もたれ部と座部を備え、使用者にマッサージを行うマッサージ部を背もたれ部と座部との少なくともいずれかに内蔵した椅子型マッサージ機に関して、背もたれ部のカバー構造が提案されている（例えば、特許文献１参照）。
【０００３】
この特許文献１に記載された発明は、マッサージ機構を露出させることなくカバーを変えることを実現するものであり、マッサージ部とともに背もたれ部基体の全体を包み込むように覆う内部カバーを背もたれ部基体に固定的に取付け、内部カバーが露出しないように覆う外部カバーを内部カバーに着脱自在に取付ける構成が特徴である。また、背もたれ部のうち使用者が接する面には背パッドを有し、背パッドが覆う範囲は外部カバーを形成せず、内部カバーを背パッドが覆う構成も開示されている。さらに、上記内部カバーと外部カバーとで構成するカバー体は、背もたれ部だけでなく椅子型マッサージ機の座部、脚載部に対しても用いた構成が開示されている。この特許文献１記載の発明によれば、着脱自在な外部カバーに多種多様なデザインを施しておけば、マッサージ部を露出させることなく消費者の好みに応じて外部カバーを交換することができる。
【特許文献１】特開２００１−２７６１５８号公報
【発明の開示】
【発明が解決しようとする課題】
【０００４】
しかしながら、上記のようなカバー構造のマッサージ機にあっては、内部カバーが背もたれ部基体の全体を覆っているため、外部カバーや背パッドによって覆われる部分についても無駄な布地が必要となる。
【０００５】
さらに、外部カバーや背パッドの色彩を内部カバーの色彩と大きく変えた場合、外部カバーや背パッドの周縁から内部カバーが露出しているとデザイン上好ましくない。加えて、内部カバーのうちマッサージ部の露出を防止している部分が破損したり摩耗したりした場合は、背もたれ部基体の全体を覆っている内部カバーを交換することとなる。
【０００６】
このように、上記特許文献１に開示されている構成は、コスト面、デザイン面、メンテナンス面における課題を有している。
【０００７】
本発明は、そのような問題点に着目してなされたもので、コストを抑えながらデザイン性及びメンテナンス性が向上したカバー構成を備えたマッサージ機を提供することを目的とする。
【課題を解決するための手段】
【０００８】
前記目的を達成するために、本発明のマッサージ機は、使用者にマッサージを行うマッサージ部を内蔵した背もたれ部と座部とを備えた椅子型のマッサージ機において、背もたれ部は、マッサージ部の施療子を使用者に当接させるための開口を備えた背もたれベースと、背もたれベースの開口を覆うように前面に設けられ、開口の周縁に着脱自在に取付けられた開口カバーと、背もたれベースの前面を覆うように着脱自在に取付けられる背もたれカバーとを備え、座部は、座ベースと、座ベースの左右両側に設けられた一対の肘掛ベースと、座ベースの上面を覆うように着脱自在に取付けられる座カバーと、肘掛ベースの両内側面を覆うように着脱自在に取付けられる肘掛カバーとを備えた構成としている。
【０００９】
上記構成において、背もたれベースは、装着した背もたれカバーによって露出しないように覆われる前面ハウジングと、背面ハウジングとで構成するのが好適である。
【００１０】
また、背もたれベースは、背もたれカバーの着脱状態を検出する検出部を備え、背もたれベースに内蔵されたマッサージ部は、検出部によって背もたれカバーが装着されていることが検出されたときのみ駆動されるようにするのが好適である。
【００１１】
また、肘掛ベースは、装着した肘掛カバーによって露出しないように覆われる内側ハウジングと、外側ハウジングとで構成するのが好適である。
【００１２】
また、座ベースの上面と肘掛ベースの両内側面とは一体的に形成するのが好適である。      
【００１３】
また、背もたれカバー、座カバー、肘掛カバーはそれぞれクッション材を内装し、各クッション材はそれぞれ背もたれベース、座ベース、肘掛ベースの当接面に合わせた形状を保持するように形成するのが好適である。
【００１４】
また、各カバーと各ベースとは係合的な着脱手段を備えるのが好適である。
【発明の効果】
【００１５】
請求項１記載の発明によれば、背もたれカバー、座カバー、肘掛カバーを交換することで、マッサージ機のデザインを多様なものとすることができる上に、各カバーに覆われる部分は不要な布地を設ける必要がなく、さらにマッサージ部の露出を防止している開口カバーの交換も背もたれベースの開口の周縁から取り外すだけで実施できる。
【００１６】
請求項２記載の発明によれば、マッサージ部のメンテナンスは背面ハウジングのみを撤去することで実施できるだけでなく、背もたれカバーの色彩に合わせた背面ハウジングに交換することで、デザイン性がより向上する。
【００１７】
請求項３記載の発明によれば、背もたれカバーが装着されておらず、マッサージ部の施療子が必要以上に突出した状態でマッサージ部が駆動することにより、使用者に対して必要以上の施療力を及ぼすことを防止できる。
【００１８】
請求項４記載の発明によれば、肘掛カバーの色彩に合わせた外側ハウジングに交換することで、デザイン性がより向上する。
【００１９】
請求項５記載の発明によれば、座カバーと肘掛カバーとを取り外したときに座ベースと肘掛ベースとの間に隙間が発生せず、カバー交換時の安全性が向上する。
【００２０】
請求項６記載の発明によれば、各カバーが各ベースに対して密着して取付けることができ、隙間から各ベースが見えてしまうことがなくなるため、デザイン性がより向上する。      
【００２１】
請求項７記載の発明によれば、各ベースに対する各カバーの取付けが容易に実施できるだけでなく、取付け位置が定まるため、カバー交換作業性並びにデザイン性がより向上する。
【発明を実施するための最良の形態】
【００２２】
以下、実施の形態により、この発明を更に詳細に説明する。
【００２３】
実施形態に係るマッサージ機１の外観斜視図を図１に、その開口カバー以外のカバー（背もたれカバー、座カバー、肘掛カバー）を取り外した状態の外観斜視図を図２に、全カバー（開口カバー、背もたれカバー、座カバー、肘掛カバー）を取り外した状態の外観斜視図を図３に示す。
【００２４】
マッサージ機１は、背もたれ部２、座部３、左右一対の肘掛部４，４、脚部５及び基台６からなる。背もたれ部２は、座部３の後端に対して後方へのリクライニング及び前方への折り畳みが可能なように組み付けられ、左右一対の肘掛部４，４は、座部３の左右両端に設けられている。脚部５の上端は座部３の底面に固定され、下端は基台６の上面に回転自在に取付けられている。
【００２５】
背もたれ部２は、前面ハウジング２１と背面ハウジング２５とで構成された背もたれベース２０と、背もたれベース２０の前面ハウジング２１を覆うように着脱自在に取付けられる背もたれカバー２６（図４）とで構成される。背もたれベース２０内には、使用者にマッサージを行う施療子１１を駆動するためのマッサージ部１０が内蔵されており、施療子１１は背もたれベース２０の前面ハウジング２１に設けられた開口２２より突出し、使用者に当接する。
【００２６】
マッサージ部１０は背もたれベース２０内を昇降自在に設けられており、かつ施療子１１を所定の軌跡で駆動する機構を備えている。マッサージ部１０の昇降や施療子１１の駆動のための機構は公知の技術を用いればよく、ここでは詳細な説明は省略するが、施療子１１を使用者の肩から腰にかけて上下、前後及び左右に駆動させて、使用者に対してもみマッサージ、たたきマッサージ、指圧マッサージ及び背筋伸ばしマッサージなどを施す。      
【００２７】
図２及び図３から分かるように、背もたれカバー２６を外すと、背もたれベース２０の前面ハウジング２１が露出する。前面ハウジング２１は硬質な合成樹脂などにより形成されており、横方向の中央には前述のようにマッサージ部１０の施療子１１を使用者に当接させるための開口２２が設けられている。開口２２の前面には、開口２２を覆うようにその周縁にネジなどの取付手段２４によって開口カバー２３が着脱自在に取付けられており、マッサージ部１０及び施療子１１が露出することを防止している。
【００２８】
開口カバー２３は、施療子１１がスムーズに動作し、かつ施療子１１との摩擦でも破損しないナイロンやポリエステルなどの合成繊維などで形成されており、さらに開口２２を覆う部分は開口２２の面積よりも広い面積の布地により弛みを持った構成となっているため、施療子１１が背もたれベース２０から突出し、かつ所定の軌跡で駆動されることを妨げることがなく、また開口カバー２３自体も破損し難い。さらに、開口カバー２３は開口２２の周縁に取付けられる寸法で形成されており、換言すれば、開口２２及びその周縁以外の前面ハウジング２１の表面は覆っていない。
【００２９】
開口カバー２３に覆われない背もたれベース２０の前面ハウジング２１も、使用中は背もたれカバー２６に覆われることにより露出することはなく、不要の布地を設ける必要がない。また、開口カバー２３が破損などにより交換の必要が発生した場合も、開口２２の周縁における固定を解除するだけで簡単に実施できる。さらに、開口カバー２３は使用中に露出することがないため、マッサージ機１の外観形状、色彩などデザインが異なる機種に対しても共用することができる。
【００３０】
前面ハウジング２１の前面周縁には、背もたれカバー２６を着脱自在に取付けるために着脱手段２８が設けられている。着脱手段２８は後述するように背もたれカバー２６の前面ハウジング２１との当接面２６ａにも設けられており（図５）、双方の着脱手段２８が係合することにより、前面ハウジング２１に対する背もたれカバー２６の取付けが容易に実施できる。着脱手段２８には、面ファスナ、ファスナ、ホックなどの公知の手段を用いればよい。実施形態におけるマッサージ機１では、面ファスナとホックを併用することで位置決めと装着、及び取り外しを容易かつ確実に実現できる構成としている。
【００３１】
背もたれカバー２６の正面図（平面図）を図４に、その裏側から見た外観斜視図を図５に、図５の線Ａ−Ａにおける概略断面図を図６に示す。図４〜図６に示すように、背もたれカバー２６は、上端が後部に向かって湾曲した形状に形成されている。背もたれカバー２６の前面ハウジング２１との当接面２６ａは前面ハウジング２１に合わせた形状であり、背もたれカバー２６が背もたれベース２０に対して密着して取付けることができ、隙間から背もたれベース２０の前面ハウジング２１が見えてしまうことがなくなる。従って、前面ハウジング２１はマッサージ機１の外観形状や色彩などデザインが異なる機種に対しても共用することができ、デザイン性も向上する。
【００３２】
図６に示すように、背もたれカバー２６は前面ハウジング２１の開口２２に当接する部分は表皮２６ｂのみで、それ以外の部分はウレタンフォーム等で形成されたクッション２７を表皮２６ｂで包むように形成されている。前述した背もたれカバー２６の形状は、背もたれカバー２６の表皮２６ｂに内装したクッション２７を当接面である前面ハウジング２１の形状に合わせた形状を保持するように形成することで実現している。
【００３３】
また、背もたれカバー２６の背面には、その周縁よりやや内側に前述の着脱手段２８を設けている。この着脱手段２８を背もたれベース２０の前面ハウジング２１に設けた着脱手段２８に係合させることで、背もたれカバー２６が背もたれベース２０に密着して取付けられる。さらに、背もたれカバー２６の着脱手段２８が周縁よりやや内側に設けられていることにより、背もたれカバー２６が背もたれベース２０に装着された状態では前面ハウジング２１が露出することがないため、前面ハウジング２１は変更せずに背面ハウジング２５のみを背もたれカバー２６の外観形状や色彩などに合わせて交換することで、マッサージ機１の外観デザインの多様化が容易に実現できる。
【００３４】
また、図２及び図３に示すように、背もたれベース２０の開口２２の上縁には、背もたれカバー２６の装着状態を検出する検出部２９が設けられている。検出部２９は公知のスイッチなどで構成されており、検出結果は例えば後述するマッサージ部１０の制御回路に入力することで、背もたれベース２０に内蔵されたマッサージ部１０は、検出部２９によって背もたれカバー２６が装着されていることが検出されたときのみ駆動されるように構成することができる。このようにすれば、背もたれカバー２６が装着されておらず、マッサージ部１０の施療子１１が必要以上に突出した状態でマッサージ部１０が駆動することにより、使用者に対して必要以上の施療力を及ぼすことを防止できる。
【００３５】
図２及び図３において、座部３は、座ベース３０と、座ベース３０の上面を覆うように着脱自在に取付けられる座カバー３１（図７）とで構成される。座ベース３０は硬質な合成樹脂などにより形成されており、その内部にはマッサージ部１０を駆動及び制御するための制御回路が設けられており、座ベース３０の上面には制御回路を収納するスペースを塞ぐ蓋３２が設けられている。座ベース３０は、上面の左右両側が上方に湾曲して形成されており、湾曲した部分は肘掛部４，４の肘掛ベース４０，４０の両内側面となる内側ハウジング４１，４１を構成する。つまり、本発明の実施形態であるマッサージ機１は、座ベース３０の上面と肘掛ベース４０，４０の両内側面とを一体的に形成している。このようにすれば、座カバー３１と肘掛カバー４３，４３（図９）とを取り外したときに、座ベース３０と肘掛ベース４０，４０との間に隙間が発生せず、カバー交換時の安全性が向上する。
【００３６】
さらに、座ベース３０の左右両端付近には緩衝部材３３，３３が取付けられている。この緩衝部材３３，３３は、背もたれカバー２６、座カバー３１を取り外した状態で背もたれ部２を前方に折り畳む際に、背もたれベース２０と座ベース３０とが直接接触することで、破損等が発生しないようにするためのものである。
【００３７】
座ベース３０の前面及び上面後端には、座カバー３１を着脱自在に取付けるために着脱手段２８が設けられている。着脱手段２８は後述するように座カバー３１の座ベース３０との当接面３１ａの前後両端にも設けられており、双方の着脱手段２８が係合することにより、背もたれ部２と同様に座ベース３０に対する座カバー３１の取付けが容易に実施できる。着脱手段２８には、面ファスナ、ファスナ、ホックなどの公知の手段を用いればよい。
【００３８】
座カバー３１の正面図（平面図）を図７に、その裏側から見た外観斜視図を図８に示す。座カバー３１はウレタンフォーム等で形成したクッション（図示せず）と、それを包む表皮（符号は付せず）とで構成されており、前端が下方に向かって湾曲した形状に形成されている。座カバー３１の座ベース３０との当接面３１ａは座ベース３０の上面に合わせた形状であり、座カバー３１が座ベース３０に対して密着して取付けることができ、隙間から座ベース３０の上面が見えてしまうことがなくなる。従って、座ベース３０は、マッサージ機１の外観形状や色彩などデザインが異なる機種に対しても共用することができ、デザイン性も向上する。
【００３９】
また、座カバー３１の底面には、その前後端よりやや内側に前述の着脱手段２８を設けている。この着脱手段２８を座ベース３０の前面及び上面後端に設けた着脱手段２８に係合させることで、座カバー３１が座ベース３０に密着して取付けられる。さらに、座カバー３１の着脱手段２８が前後端よりやや内側に設けられていることにより、座カバー３１が座ベース３０の上面を確実に覆うこととなる。
【００４０】
図２及び図３において、肘掛部４，４は、肘掛ベース４０，４０と肘掛カバー４３，４３（図９）とにより構成される。肘掛ベース４０，４０は前述の内側ハウジング４１，４１と、この内側ハウジング４１，４１の外側に取付けられる外側ハウジング４２，４２とから構成される。さらに、肘掛カバー４３，４３が肘掛ベース４０，４０の内側ハウジング４１，４１の表面を覆うように取付けられる。
【００４１】
肘掛ベース４０の内側ハウジング４１，４１の上端及び前端周縁には、肘掛カバー４３を着脱自在に取付けるために着脱手段２８が設けられている。着脱手段２８は後述するように肘掛カバー４３，４３の内側ハウジング４１，４１との当接面４３ａにも設けられており、双方の着脱手段２８が係合することにより、背もたれ部２及び座部３と同様に、肘掛ベース４０，４０に対する肘掛カバー４３，４３の取付けが容易に実施できる。着脱手段２８には、面ファスナ、ファスナ、ホックなどの公知の手段を用いればよい。
【００４２】
肘掛カバー４３，４３の正面図（平面図）を図９に、その裏側から見た正面図（平面図）を図１０に、図１０の線Ｂ−Ｂにおける概略断面図を図１１に示す。肘掛カバー４３，４３は、ウレタンフォーム等で形成されたクッション４４，４４と、それを包む表皮４３ｂ，４３ｂとで構成されており、上端及び前端が外方に向かって湾曲した形状に形成されている。肘掛カバー４３，４３の内側ハウジング４１，４１との当接面４３ａは、内側ハウジング４１，４１の表面に合わせた形状であり、肘掛カバー４３，４３が肘掛ベース４０，４０に対して密着して取付けることができ、隙間から内側ハウジング４１，４１の表面が見えてしまうことがなくなる。従って、肘掛ベース４０，４０の内側ハウジング４１，４１は、マッサージ機１の外観形状や色彩などデザインが異なる機種に対しても共用することができ、デザイン性も向上する。
【００４３】
また、肘掛カバー４３，４３の内側ハウジング４１，４１との当接面４３ａには、その上端及び前端周縁よりやや内側に前述の着脱手段２８が設けられている。この着脱手段２８を肘掛ベース４０，４０の内側ハウジング４１，４１の上端及び前端周縁に設けた着脱手段２８に係合させることで、肘掛カバー４３，４３が肘掛ベース４０，４０に密着して取付けられる。さらに、肘掛カバー４３，４３の着脱手段２８が周縁よりやや内側に設けられていることにより、肘掛カバー４３，４３が肘掛ベース４０，４０の内側ハウジング４１，４１を確実に覆うこととなる。
【００４４】
このように、肘掛カバー４３，４３が肘掛ベース４０，４０に装着された状態では内側ハウジング４１，４１が露出することがないため、内側ハウジング４１，４１は変更せずに外側ハウジング４２，４２のみを肘掛カバー４３，４３の外観形状や色彩などに合わせて交換することで、マッサージ機１の外観デザインの多様化が容易に実現できる。
【図面の簡単な説明】
【００４５】
【図１】実施形態に係るマッサージ機の外観斜視図である。
【図２】同マッサージ機の開口カバー以外のカバー（背もたれカバー、座カバー、肘掛カバー）を取り外した状態の外観斜視図である。
【図３】同マッサージ機の全カバー（開口カバー、背もたれカバー、座カバー、肘掛カバー）を取り外した状態の外観斜視図である。
【図４】同マッサージ機における背もたれカバーの正面図（平面図）である。
【図５】同マッサージ機における背もたれカバーを裏側から見た外観斜視図である。
【図６】図５の線Ａ−Ａにおける概略断面図である。
【図７】同マッサージ機における座カバーの正面図（平面図）である。
【図８】同マッサージ機における座カバーを裏側から見た外観斜視図である。
【図９】同マッサージ機における肘掛カバーの正面図（平面図）である。
【図１０】同マッサージ機における肘掛カバーを裏側から見た正面図（平面図）である。
【図１１】図１０の線Ｂ−Ｂにおける概略断面図である。
【符号の説明】
【００４６】
１        マッサージ機
２        背もたれ部
３        座部
４        肘掛部
５        脚部
６        基台
１０      マッサージ部
１１      施療子
２０      背もたれベース
２１      前面ハウジング
２２      開口
２３      開口カバー
２５      背面ハウジング
２６      背もたれカバー
２６ａ    背もたれカバーの前面ハウジングとの当接面
２８      着脱手段
２９      検出部
３０      座ベース
３１      座カバー
４０      肘掛ベース
４１      内側ハウジング
４２      外側ハウジング
４３      肘掛カバー
【図１】
2005334386.tif 000003
【図２】
2005334386.tif 000004
【図３】
2005334386.tif 000005
【図４】
2005334386.tif 000006
【図５】
2005334386.tif 000007
【図６】
2005334386.tif 000008
【図７】
2005334386.tif 000009
【図８】
2005334386.tif 000010
【図９】
2005334386.tif 000011
【図１０】
2005334386.tif 000012
【図１１】
2005334386.tif 000013